(57)【要約】【課題】プライ剥離の防止性、バウンジングや片当たりの防止性、ロール状にした際のリブ状部分の形成の防止性、エッジエンボスロールの摩耗性に優れるトイレットロールの製造方法を提供する。【解決手段】  単位凸エンボスが回転方向に一定間隔で配列してなる凸エンボス列が、回転軸方向に平行な幅方向に２〜５列配され、その単位凸エンボスが、前記幅方向に平行な０．３〜０．７ｍｍの辺を回転方向前方側に有し、天面面積が０．０３５〜０．４９ｍｍ2であり、単位凸エンボスの天面面積率が２〜６％であり、かつ、幅方向の最左列と最右列の凸エンボス列における単位凸エンボスの、回転方向で最も近い単位凸エンボス同士一組が、回転方向において一部重なるように配されている、凸エンボスロールによってエッジエンボスを付与するトイレットロールの製造方法により解決される。【選択図】図３
2015165832.tif 000002
【特許請求の範囲】
【請求項１】
複数枚の帯状のトイレットペーパー原紙を重ね合わせた状態で連続方向に沿って、凸エンボスロールにより型押しし、積層一体化してプライ構造のトイレットペーパーとするエッジエンボス付与工程を有するトイレットロールの製造方法であって、
前記凸エンボスロールの凸エンボスパターンが；
単位凸エンボスが回転方向に一定間隔で配列してなる凸エンボス列が、回転軸方向に平行な幅方向に２〜５列配され、その単位凸エンボスが、回転軸方向に平行な幅方向に平行な０．３〜０．７ｍｍの辺を回転方向前方側に有し、天面面積が０．０３５〜０．４９ｍｍ2であり、単位凸エンボスの天面面積率が２〜６％であり、かつ、幅方向の最左列と最右列の凸エンボス列における単位凸エンボスの、回転方向で最も近い単位凸エンボス同士一組が、回転方向において一部重なるように配した、
凸エンボスパターンとされている、ことを特徴とするトイレットロールの製造方法。
【請求項２】
単位凸エンボスが、天面から凸エンボスロール基準面に向かって裾広がりとなる山形状であり、その天面から凸エンボスロールの基準面までの斜面が、天面と基準面との間から所定高さ位置までの第１傾斜面と、その所定高さ位置から基準面までの前記第１傾斜面よりも緩い第２傾斜面とを有している、請求項１記載のトイレットロールの製造方法。
【請求項３】
単位凸エンボスが、天面から凸エンボスロール基準面に向かって裾広がりとなる山形状であり、その裾野部分が角取りされている、請求項１又は２記載のトイレットロールの製造方法。
【請求項４】
複数枚の帯状のトイレットペーパー原紙が連続方向に沿って施されたエッジエンボスによって積層一体化されてなる複数プライのトイレットペーパーをロール状に巻いたトイレットロールであって、
前記エッジエンボスパターンが；
単位凹エンボスがトイレットペーパーの連続方向に一定間隔で配列してなる凹エンボス列が、前記連続方向に直交する幅方向に２〜５列配され、その単位凹エンボスが、前記幅方向に平行な０．３〜０．７ｍｍの辺をトイレットロールの巻き開始側に有し、底面面積が０．０３５〜０．４９ｍｍ2であり、底面面積率が２〜６％であり、かつ、幅方向の最左列と最右列の凹エンボス列における単位凹エンボスの、連続方向で最も近い単位凹エンボス同士一組が、連続方向において一部重なるように配した、
エッジエンボスパターンとされている、ことを特徴とするトイレットロール。
【発明の詳細な説明】
【技術分野】
【０００１】
本発明は、複数プライのトイレットペーパーがロール状に巻かれたトイレットロールの製造方法及びそのトイレットロールに関する。
【背景技術】
【０００２】
帯状のトイレットペーパーをロール状に巻いたトイレットロールは、良く知られる。このトイレットロールの中には、複数のトイレットペーパー原紙を積層一体化して複数プライとしたトイレットペーパーを巻いたものがある。この複数プライのものは、積層された各原紙同士を型押し一体化（エッジエンボス、コンタクトエンボスなどとも呼ばれる。以下、この型押し一体化を本発明及び明細書においてはエッジエンボスと称する）して、プライ剥離を防止するようにしている。
【０００３】
このエッジエンボスは、重ね合わせた原紙を、複数の単位凸エンボスが所定のエンボスパターンで付与された比較的幅の狭い凸エンボスロール（エッジエンボスロールとも言われる）により、所定のエンボスパターンで型押して施す。
【０００４】
従来、このエッジエンボスに関して、以下のような問題が生じていた。すなわち、付与時に凸エンボスロールが振動によって飛び跳ねたり、がたついたり（このような飛び跳ねを業界では、バウンジングともいう）、凸エンボスロールが、紙面に面接せずに傾いて接してしまうことがあり（このように傾いて紙面に接してしまうことを業界では、片当たりともいう）、このバウンジングや片当たりによって、エンボスが付与されない部分が生じたり、過度の加圧によって孔があいたりして、見栄えの悪い製品となってしまうことがあった。また、従来のエッジエンボスでは、付与された部分が、リブ状に盛り上がり、見栄えの悪い製品となることがあった。
【先行技術文献】
【特許文献】
【０００５】
【特許文献１】特許第５３９９７２７号
【特許文献２】特許第４６２７８９２号
【特許文献３】特許第４４５０４２１号
【特許文献４】特許第５３３１５３０号
【特許文献５】特許第５００５０８５号
【発明の概要】
【発明が解決しようとする課題】
【０００６】
そこで、本発明の主たる課題は、上記エッジエンボスに関する製造上の問題を解決し、プライ剥離の防止性、バウンジングや片当たりの防止性、ロール状にした際のリブ状部分の形成の防止性、エッジエンボスロールの耐摩耗性に優れるトイレットロールの製造方法及びトイレットロールを提供することにある。
【課題を解決するための手段】
【０００７】
上記課題を解決した本発明とその効果は次記のとおりである。
【０００８】
＜請求項１記載の発明＞
複数枚の帯状のトイレットペーパー原紙を重ね合わせた状態で連続方向に沿って、凸エンボスロールにより型押しし、積層一体化してプライ構造のトイレットペーパーとするエッジエンボス付与工程を有するトイレットロールの製造方法であって、
前記凸エンボスロールの凸エンボスパターンが；
単位凸エンボスが回転方向に一定間隔で配列してなる凸エンボス列が、回転軸方向に平行な幅方向に２〜５列配され、その単位凸エンボスが、前記幅方向に平行な０．３〜０．７ｍｍの辺を回転方向前方側に有し、天面面積が０．０３５〜０．４９ｍｍ2であり、単位凸エンボスの天面面積率が２〜６％であり、かつ、幅方向の最左列と最右列の凸エンボス列における単位凸エンボスの、回転方向で最も近い単位凸エンボス同士一組が、回転方向において一部重なるように配した、
凸エンボスパターンとされている、ことを特徴とするトイレットロールの製造方法。
【０００９】
＜請求項２記載の発明＞
単位凸エンボスが、天面から凸エンボスロール基準面に向かって裾広がりとなる山形状であり、その天面から凸エンボスロールの基準面までの斜面が、天面と基準面との間から所定高さ位置までの第１傾斜面と、その所定高さ位置から基準面までの前記第１傾斜面よりも緩い第２傾斜面とを有している、請求項１記載のトイレットロールの製造方法。
【００１０】
＜請求項３記載の発明＞
単位凸エンボスが、天面から凸エンボスロール基準面に向かって裾広がりとなる山形状であり、その裾野部分が角取りされている、請求項１又は２記載のトイレットロールの製造方法。
【００１１】
＜請求項４記載の発明＞
複数枚の帯状のトイレットペーパー原紙が連続方向に沿って施されたエッジエンボスによって積層一体化されてなる複数プライのトイレットペーパーをロール状に巻いたトイレットロールであって、
前記エッジエンボスパターンが；
単位凹エンボスがトイレットペーパーの連続方向に一定間隔で配列してなる凹エンボス列が、前記連続方向に直交する幅方向に２〜５列配され、その単位凹エンボスが、前記幅方向に平行な０．３〜０．７ｍｍの辺をトイレットロールの巻き開始側に有し、底面面積が０．０３５〜０．４９ｍｍ2であり、底面面積率が２〜６％であり、かつ、幅方向の最左列と最右列の凹エンボス列における単位凹エンボスの、連続方向で最も近い単位凹エンボス同士一組が、連続方向において一部重なるように配した、
エッジエンボスパターンとされている、ことを特徴とするトイレットロール。
【発明の効果】
【００１２】
以上の本発明によれば、プライ剥離の防止性、バウンジングや片当たりの防止性、ロール状にした際のリブ状部分の形成の防止性、エッジエンボスロールの耐摩耗性に優れるトイレットロールの製造方法及びトイレットロールが提供される。
【図面の簡単な説明】
【００１３】
【図１】本発明の実施形態に係るトイレットロール製造方法の概略を説明するための図である。
【図２】本発明の実施形態に係るエッジエンボスの付与態様を説明するための図である。
【図３】本発明の実施例に係る凸エンボスロールを説明するための図である。
【図４】本発明の実施例に係る凸エンボスパターンを説明するための図である。
【図５】本発明の実施例に係る他の凸エンボスパターンを説明するための図である。
【図６】本発明の実施例に係る単位凸エンボスの断面図である。
【図７】本発明の実施例に係る他の単位凸エンボスの断面図である。
【図８】本発明の実施形態に係るトイレットロールの斜視図である。
【図９】プライ剥離防止性の試験方法を説明するための図である。
【図１０】比較例１に係る凸エンボスパターンを説明するための図である。
【図１１】比較例２に係る凸エンボスパターンを説明するための図である。
【図１２】比較例３に係る凸エンボスパターンを説明するための図である。
【図１３】従来例１に係る凸エンボスパターンを説明するための図である。
【発明を実施するための形態】
【００１４】
次いで、本発明の実施の形態について図１〜８を参照しながら詳述する。なお、限定されないが、本製造方法は、２プライ又は３プライのトイレットロールの製造に適し、特に、２プライのトイレットロールを製造するに適する。また、紙厚が１００〜３５０μｍ、１プライ当り米坪が１１．０〜２５．０ｇ／ｍ2であるトイレットペーパーが巻かれたトイレットロールを製造するに適するものである。
【００１５】
この本実施形態のトイレットロール１０の製造方法は、図１に示すように、長尺の紙管３０を製造する工程（Ａ）と、その長尺の紙管３０を用いてログを製造するログ製造工程（Ｂ）と、ログを裁断して個々のトイレットロールにする裁断工程（Ｃ）と、を有する。
【００１６】
本実施形態の紙管製造工程は、図１中（Ａ）に示すように、原反ロール３１Ａ，３２Ａから繰出された二枚の帯状の紙管原紙３１，３２のうち一方の紙管原紙３１の一方面に糊付けロール５１により糊を付与し、前記一方の紙管原紙３１の糊付けされた面に他方の紙管原紙３２を幅方向に一部重ね、前記他方の紙管原紙３２の糊付け面と接しない面をマンドレルシャフト５２に対向する面、すなわち紙管内面となる面にして、各紙管原紙３１，３２をマンドレルシャフト５２に螺旋状に巻き付けて連続的に筒状に形成し、その筒状にされた部分をトイレットロールの複数倍幅以上の幅でカッターによりカットしてスパイラル状の長尺紙管３０を形成する。
【００１７】
その一方、上記の長尺紙管３０の製造と並行して又はその後において、ログ製造工程（図１中（Ｂ））にて、ログ７０を製造する。なお、ログ７０とは、業界においての一般用語であり、最終製品であるトイレットロール１０の径と同径でありかつ幅が最終製品の複数個分以上ある中間製品である。
【００１８】
本実施形態に係るトイレットロール１０の製造方法では、このログ製造工程（Ｂ）において、図２にも示すように、予めログ７０の幅に対応する幅広のトイレットペーパー原紙７１，７１が巻きとられた複数の原反ロール７１Ａ，７１Ａから、それぞれトイレットペーパー原紙７１，７１を繰出し、重ね合わせ部８１で重ね合わせた後、これを長尺紙管３０に巻き付ける。そして、特にその重ね合わせから巻き付けまでの間に、重ね合わせた状態のトイレットペーパー原紙７２を凸エンボスロール５及びこれを受ける受けロール６とで構成されるエッジエンボス付与手段５６に通して、エッジエンボスを特徴的に付与して積層一体化する。図示例では、二枚のトイレットペーパー原紙７１，７１を重ねており２プライのトイレットペーパーのトイレットロールを製造する例であるが、三枚のトイレットペーパー原紙を重ねるようにすれば３プライのトイレットロールを製造することもできる。
【００１９】
エッジエンボスを付与する位置としては、後の裁断工程（Ｃ）においてログ７０を裁断してトイレットロール１０とした際に、それを構成するトイレットペーパー１の両縁部となる位置、より具体的には両縁から５０ｍｍ以内の範囲の縁部となる位置に形成するのがよい。
【００２０】
そして、本実施形態に係るトイレットロール１０の製造方法では、このエッジエンボスを付与する凸エンボスロール５における凸エンボスパターンが特徴的に以下のようになっている。すなわち、図３及び図４に示すように、凸エンボスパターンが、単位凸エンボス２０が回転方向に一定間隔で配列してなる凸エンボス列２０Ｌ，２０Ｌ…が、回転軸方向に平行な幅方向に２〜５列配されており（図は３列のものを表している）、その単位凸エンボス２０が、前記幅方向に平行な０．３〜０．７ｍｍの辺２０Ｅを回転方向前方側に有しているものとなっている。さらに、単位凸エンボス２０の天面２０ｘの面積が０．０３５〜０．４９ｍｍ2とされ、単位凸エンボス２０の天面面積率が２〜６％とされている。この凸エンボスパターンは、単位凸エンボス２０の天面面積とその天面面積率が非常に小さい。換言すれば紙面に小さい凹エンボスが疎に配される凸エンボスパターンとなっている。したがって、この凸エンボスパターンであると、エッジエンボスが目立たず、また、ロール状にした際にエッジエンボス付与部分がリブ状に目立たない。さらに、天面面積が小さい単位凸エンボス２０であっても、それを凸エンボス列２０Ｌに形成し、幅方向に２〜５列配することで、一つの小さい単位凸エンボス２０により押される部分（紙面に転写された際の単位凹エンボス）が小さくとも、それが近接配置されていることによって、プライ剥離の防止性も問題なく発揮される。
【００２１】
天面面積率は、図４中に二点鎖線で囲まれる符号Ｘで示す範囲のように、繰り返し現れるエンボスパターン範囲中にある総天面面積（天面の数×一つの天面面積）の割合である。単位凸エンボスの回転方向のピッチと凸エンボス列間の間隔が一定であれば、（（一つの天面面積×列数）／（施工幅Ｌ１×ピッチＬ５））×１００で算出される。なお、施工幅Ｌ１は、最右列の幅方向右端から最左列の幅方向左端までの幅であり、ピッチＬ５は、回転方向における単位凸エンボスの辺２０Ｅ間の距離である。
【００２２】
なお、本実施形態においては、特に施工幅Ｌ１は、３．００〜１３．００ｍｍであるのが望ましい。すなわち各凸エンボス列２０Ｌが、幅方向の３．００〜１３．００ｍｍの範囲内に収められているのが望ましい。ピッチＬ５は４．５〜５．５ｍｍであるのが望ましい。
【００２３】
また、本実施形態に係る単位凸エンボス２０は、上記のとおり回転軸方向に平行な幅方向に平行な０．３〜０．７ｍｍの辺２０Ｅを回転方向前方側に有しているものとなっている。したがって、この凸エンボスロール５では、単位凸エンボス２０の天面２０ｘが紙面に押し付けられる際に、その辺２０Ｅから紙面に接することになる。単位凸エンボスが、菱形や三角形の頂点から接するパターンや円形のパターンであると、その単位凸エンボスが紙面に接し始める際に頂点や円形の一点に過度に力が加わることになるため、凸エンボスロールの特に単位凸エンボスの摩耗が生じやすくなるが、本実施形態に係る凸エンボスパターンは、常に単位凸エンボス２０の天面２０ｘは辺２０Ｅから紙面に線接触するようになるため、一点に過度の力が加わることがなく、単位凸エンボス２０の摩耗が低減される。すなわち、凸エンボスロール５の摩耗防止性に優れる。なお、辺２０Ｅは、０．３ｍｍ未満では、摩耗防止性の効果が発現し難く、０．７ｍｍを超えると単位凸エンボス２０の大きさが大きくなりエッジエンボスが目立ちやすくなる。特に、０．３〜０．７ｍｍの範囲であると一般的なトイレットロールの加工速度において十分な摩耗防止性を発揮する。
【００２４】
ここで、単位凸エンボス２０の具体的形状としては、係る辺２０Ｅを有する形状であれば限定はされないが、この辺２０Ｅから回転方向後方に向かって広がらないような形状が望ましい。すなわち、図３及び図４に示すような当該辺２０Ｅの両端から回転方向に沿う辺を有するような正方形や長方形、或いは図５に示すような当該辺２０Ｅから回転方向後方に向かって狭窄するような三角形、当該辺２０Ｅから回転方向後方に向かって狭窄するような台形などが望ましい例である。このような辺２０Ｅから紙面に対して接触面が広がらず、同じか又は小さくなる形状であると、エッジエンボスが目立ち難くなるとともに、凸エンボスロール５の摩耗防止性においてもより優れたものとなる。
【００２５】
さらに、本実施形態に係る凸エンボスパターンは、凸エンボス列２０Ｌを幅方向に２〜５列配するようにしているため、凸エンボスロール５が、紙面に対して安定的に接するようになり、凸エンボスロール５が紙面に対して傾いて接する片当たりやバウンジングの現象が発現し難くなる。そして、特に本実施形態に係る凸エンボスパターンでは、この片当たり等の防止性の効果が特別に発揮されるように、幅方向の最左列と最右列の凸エンボス列２０Ｌにおける単位凸エンボス２０の、回転方向で最も近い位置にある単位凸エンボス同士一組（例えば、図４及び図５中の２０Ｙで囲む一組）が、回転方向において一部重なるように配されている（図４及び図５中において、最左列と最右列の凸エンボス列における単位凸エンボスの、回転方向で最も近い単位凸エンボス同士一組２０Ｙの重なりを符号Ｐで示す）。換言すれば、これは、幅方向の最左列と最右列の凸エンボス列２０Ｌにおける単位凸エンボス２０の、回転方向で最も近い位置にある単位凸エンボス同士一組において、先に紙面に接し始める方の単位凸エンボス２０（図中では最左列の単位凸エンボス）の回転方向後方側端２０Ｕと、後に紙面に接し始める方の単位凸エンボス２０（図中では最右列の単位凸エンボス）の回転方向前方側辺２０Ｅとの位置が、回転方向において一致している、又は、先に紙面に接し始める方の単位凸エンボス２０（図中では最左列の単位凸エンボス）の回転方向後方側端２０Ｕより、後に紙面に接し始める方の単位凸エンボス２０（図中では最右列の単位凸エンボス）の回転方向前方側辺２０Ｅが、回転方向前方に位置するようにして配されているということである。
【００２６】
このような凸エンボスパターンとすることで、左右のがたつきがより一層防止され、凸エンボスロール５が幅方向にぶれることが防止され片当たり及びバウンジングが防止される。なお、図示例は、先に紙面に接する方の単位凸エンボス２０が、最左列の単位凸エンボスとなっているが、本発明は必ずしも最左列の単位凸エンボスが先行するパターンに限定されない。最右列の単位凸エンボスが先行するパターン、例えば図４及び図５に示すパターンを左右対称に入れ替えたパターンであってもよい。さらには、最右列と最左列とが同時に接するパターンであってもよい。但し、何れかが先行する方ががたつきの防止効果は高い。
【００２７】
さらに、本実施形態に係る凸エンボスパターンは、各凸エンボス列２０Ｌによる単位凸エンボス２０が、幅方向に対して４０〜５０°の角度を持って配列される組みパターン２０Ｇが連続に繰り返し現れるパターンとなっているのが望ましい。図５に示す例では、凸エンボス列が三列であるため、組みパターン２０Ｇは、三つ組みパターンとなっている。なお、図中、幅方向との間の角度は符号∠Ａで示している。このパターンであると、凸エンボスロール５と紙面との接触時に、重ね合わせたトイレットペーパー原紙７１，７１が幅方向へずれ難く、また、皺が逃げやすくなり、しっかりとしたエッジエンボスが付与されやすくなる。
【００２８】
ここで、本実施形態に係る単位凸エンボス２０のエンボス高さ２０Ｈとしては、凸エンボスロール５の基準面から０．４〜０．７ｍｍの高さとするのが望ましい。この範囲であれば、プライ剥離を防止できる程度にしっかりとしたエッジエンボスを付与でき、また、付与時にトイレットペーパー原紙７１，７１に孔が形成されたり、過度にエッジエンボスが目立つようなものとなることがない。なお、０．４〜０．７ｍｍの高さの単位凸エンボス２０とした場合には、一般的なトイレットペーパーであれば、０．１〜０．７ｍｍの深さの単位凹エンボスが形成される。
【００２９】
ここで、本実施形態に係る単位凸エンボス２０は、特に図６に示されるような、天面２０ｘから凸エンボスロール５の基準面Ｇに向かって裾広がりとなる山形状であり、その天面２０ｘから凸エンボスロール５の基準面Ｇまでの斜面が、天面と基準面との間から所定高さ位置までの第１傾斜面２０Ａと、その所定高さから基準面Ｇまでの前記第１傾斜面２０Ａよりも緩い第２傾斜面２０Ｂとを有するものであるのが望ましく、その場合において、特に、第１傾斜面２０Ａの傾斜角度∠ａが５５〜６５°、第２傾斜面２０Ｂの傾斜角度∠ｂが６５〜４５°であるのが望ましい。このように傾斜面を二段階の角度に形成することで、単位凸エンボス２０の天面面積を小さくしても単位凸エンボス２０が欠ける事故が生じ難くなり、摩耗防止性が高まる。また、凸エンボスロール５が使用によって摩耗していっても第２傾斜面２０Ｂに係る位置まで進行した際にその摩耗速度が鈍化するため耐久性も向上する。さらに、第２傾斜面２０Ｂまで摩耗が進行すると天面面積が広くなるため、転写される凹エンボスの形状が大きくなり、視覚的に凸エンボスロール５の交換時期を適切に判断できる副次的な効果をも奏する。第１傾斜面２０Ａから第２傾斜面２０Ｂに変化する高さ位置としては、凸エンボスロール５の基準面Ｇから０．０８〜０．２５ｍｍの高さ位置とするのが望ましい。この高さであると特に欠け防止性に優れる。
【００３０】
他方、上記の単位凸エンボス２０が二段の傾斜面を有するものとするのと同様の効果を奏するものとして、図７に示すように、単位凸エンボス２０を、天面２０ｘから凸エンボスロール基準面Ｇに向かって裾広がりとなる山形状にして、その裾野部分２０Ｃを角取りするように構成してもよい。この場合の角取りはＲ＝０．２〜０．３ｍｍとするのが望ましい。
【００３１】
なお、エッジエンボス付与手段でのエンボス圧は原紙の米坪及び紙厚などを考慮して適宜に調整すればよい。
【００３２】
上述のとおり凸エンボスパターンを有する凸エンボスロール５と受けロール６との組み合わせによりエッジエンボスを付与した後には、そのエッジエンボスが付与されて積層一体化されたトイレットペーパー原紙７３を、適宜にミシン目線を形成するなどした後、巻き取り機で巻き取ってログ７０とする。そして、ログ７０を製造したならば、本実施形態に係るトイレットロールの製造方法では、そのログ７０を既知のログアキュームレーターＸ３で複数本をストックしつつ後段のログカッター設備Ｘ４へと移動させる。そして、その後に図１中（Ｃ）に示すように、既知のログカッター９１でログ７０を製品幅に裁断し、個々のトイレットロール１０，１０…とする。
【００３３】
この本実施形態の製造方法に係るトイレットロール１０は、図８に示すように、複数枚の製品幅の帯状のトイレットペーパー原紙１１，１１がその縁部において連続方向に沿って施されたエッジエンボス２によって積層一体化されてなる複数プライのトイレットペーパー１が紙管３にロール状に巻かれたものとなる。
【００３４】
エッジエンボス２が配される位置は、上述のとおりトイレットペーパー１の両縁部、より具体的には両縁から５０ｍｍ以内の範囲の縁部にそれぞれにあるのが好ましいが、必ずしもこの位置に限定されない。また、片側縁部のみに配されていてもよい。プライ数については、２プライから３プライであるのが望ましく、特に、２プライであるのが望ましい。また、トイレットペーパー１の紙厚は、１００〜３５０μｍ、また、１プライ当り米坪は、１１．０〜２５．０ｇ／ｍ2であるのが望ましい。このプライ数、紙厚及び米坪の範囲にあると使用時の柔らかさや吸水性を確保でき、特に、本発明に係る構成の凸エンボスパターンによる効果がより顕著となる。
【００３５】
なお、ここでの米坪とは、ＪＩＳ Ｐ ８１２４（１９９８）の米坪測定方法によるものであり、紙厚とは、ＪＩＳ Ｐ ８１１１（１９９８）の条件下で十分に調湿した後、同条件下でダイヤルシックネスゲージ（厚み測定器）「ＰＥＡＣＯＣＫ Ｇ型」（尾崎製作所製）を用いて５回測定した平均値をいう。
【００３６】
トイレットロール１０の大きさ等は、限定されないが、一般的には、幅Ｌ２が１００〜１２０ｍｍ、直径Ｌ３が１００〜１２０ｍｍ、巻き長さ（トイレットペーパーの全長）が１８〜７０ｍ、紙管内径Ｌ４が３５〜５０ｍｍであり、本発明に係るトイレットロール１０もこの範囲のものとすることができる。また、この大きさ及び巻き長さにおいて、エッジエンボス付与部分がリブ状に盛り上がる現象が好適に防止されたものとなる。
【００３７】
他方、本実施形態に係るトイレットペーパー１に施されるエッジエンボス２は、上記凸エンボスロール５における凸エンボスパターンが転写されたものであり、すなわち、単位凸エンボス２０に対応する単位凹エンボス２５が形成されたエッジエンボスパターンとなっている。すなわち、エッジエンボスのパターンは、単位凹エンボス２５がトイレットペーパー１の連続方向に一定間隔で配列してなる凹エンボス列２５Ｌが、前記連続方向に直交する幅方向に２〜５列配され、その単位凹エンボス２５が、連続方向に直交する幅方向に平行な０．３〜０．７ｍｍの辺をトイレットロールの巻き開始側に有するものとなっている。また、その単位凹エンボス２５は、底面面積が０．０３５〜０．４９ｍｍ2であり、底面面積率が２〜６％である。なお、単位凹エンボスの底面は、凸エンボスの天面が押されて形成される部分である。また、幅方向の最左列と最右列の凹エンボス列２５における単位凹エンボス２５の、連続方向で最も近い単位凹エンボス同士一組が、連続方向においてその縁又は端が重なるように配されている。このエッジエンボス２のパターン及びそれによる効果は、上記凸エンボスパターン５における説明において明らかにしたとおりである。
【実施例】
【００３８】
次いで、本発明の実施例、比較例及び従来例の凸エンボスパターンに関して、凸エンボスロールの摩耗性、見た目の意匠性（目立つか否か）、プライ剥離の防止性について試験を行なった。トイレットペーパー原紙は、実施例、比較例及び従来例のいずれも米坪が１６．５ｇ／ｍ2のトイレットペーパー原紙を２枚重ねにしたものであり、２プライ構造のものを製造することを想定した。厚みは２１０μｍ（２プライ）である。
【００３９】
各例に係る凸エンボスパターンの概要及び結果は、下記表１に示すとおりである。
【００４０】
なお、実施例１及び実施例２は、図４に示すパターンであり、天面形状が正四角形であり、天面面積が０．３８ｍｍ2である単位凸エンボスが、回転方向に所定ピッチで配される凸エンボス列が３列幅方向に均等間隔で並ぶパターンとした。実施例１及び実施例２の施工幅Ｌ１は５．４ｍｍであり、ピッチＬ５は５ｍｍである。
【００４１】
なお、比較例１に係る凸エンボスパターンは、図１０に示すとおりであり、天面形状が細長平行四辺形であり、天面面積２．５ｍｍ2である単位凸エンボス１２０Ａが回転方向に連続して配されたパターンとした。比較例１における「回転方向における重なり幅の割合」の算出基準となる重なり部分は、図１０におけるＰ’であり０．５ｍｍである。また、比較例１における施工幅Ｌ１ａは５ｍｍであり、ピッチＬ５ａは５ｍｍである。
【００４２】
比較例２に係る凸エンボスパターンは、図１１に示すとおりであり、天面形状が正方形であり、天面面積０．２５ｍｍ2である単位凸エンボス１２０Ｂが回転方向に所定ピッチで配される凸エンボス列が３列幅方向に並ぶパターンとした。但し、実施例と異なり、単位凸エンボス１２０Ｂが、回転方向において一部重なる配置を有さない。なお、比較例２における施工幅Ｌ１ｂは３．２ｍｍであり、ピッチＬ５ｂは５ｍｍである。
【００４３】
比較例３に係る凸エンボスパターンは、図１２に示すとおりであり、天面形状が真円であり、天面面積０．０３ｍｍ2である単位凸エンボス１２０Ｃが回転方向に所定ピッチで配される凸エンボス列が５列幅方向に並ぶパターンとした。なお、比較例３における施工幅Ｌ１ｃは３．２ｍｍであり、ピッチＬ５ｃは４ｍｍである。
【００４４】
従来例１に係る凸エンボスパターンは、図１３に示すとおりであり、天面形状が正方形であり、天面面積１．２１ｍｍ2である単位凸エンボス１２０Ｄが回転方向に所定ピッチで配される凸エンボス列が２列幅方向に並ぶパターンとした。なお、従来例１における施工幅Ｌ１ｄは３．８ｍｍであり、ピッチＬ５ｄは５．４ｍｍである。
【００４５】
評価については、「見た目の意匠性」は、エッジエンボスが目立たないか否かを目視にて確認し、特に目立たないものを◎、目立たないものを○、目立つものを×と評価した。
【００４６】
「凸エンボスロールの摩耗性」については、凸エンボスロールの摩耗を確認し、表中に示す従来例を基準としてそれ以下のものを×、従来例と同等の摩耗であったものを○、従来例よりも摩耗がないものを◎と評価した。
【００４７】
「プライ剥離の防止性」については、図９の（１）正面視、（２）側面視を示したように、トイレットペーパーのエッジエンボスを含むようにして幅方向に２０ｍｍ、連続方向に２４０ｍｍのミシン目のない範囲で裁断した試料を用意し、その試料を連続方向の一方端から裁断長の３３％を残して剥離して、その分離端２５ｍｍを引張り試験機の各チャックに固定してセットして、一方のチャックを１００ｍｍ／ｍｉｎの速度で、裁断長の２２％の長さを引っ張った際の、プライ剥離の強度を測定した。その測定値が４．５〜５．５ｃＮの範囲にあれば◎、５.５ｃＮを超えるものは○、４．５ｃＮ未満は×とした。
【００４８】
【表１】
2015165832.tif 000003
【００４９】
表１の結果から理解されるとおり、本発明の構成を採ることで、エッジエンボスの存在が目立たず、しかも、凸エンボスロールの耐摩耗性、トイレットペーパーのプライ剥離の防止性について、良好な結果となることが示された。本発明の構成外とすると、見た目の意匠性、凸エンボスロールの耐摩耗性の何れかにおいて、十分な効果が得られなかった。このことから、本発明に係る凸エンボスパターンとすることにより、見た目の意匠性に優れ、凸エンボスロールの耐摩耗性が向上し、しかも十分なプライ剥離の防止性を有するものとなることが示された。
【符号の説明】
【００５０】
１０…トイレットロール、１１…トイレットペーパー原紙、１…トイレットペーパー、２…エッジエンボス、３…紙管、３１Ａ，３２Ａ…原反ロール、３１、３２…紙管原紙、５１…糊付けロール、４４…糊、５２…マンドレルシャフト、５８…カッター、３０…長尺紙管、７１…幅広のトイレットペーパー原紙、７０…ログ、５…凸エンボスロール、６…受けロール、５６…エッジエンボス付与手段、２０…単位凸エンボス、２１…凸エンボス列、２０Ｅ…単位凸エンボスの凸エンボスロールの回転軸方向に平行な幅方向に平行な辺、２０ｘ…単位凸エンボスの天面、Ｌ１…施工幅、２０Ｙ…最左列と最右列の回転方向に近接する単位凸エンボスの組み、∠Ａ…三つ組みパターンとトイレットペーパー原紙の幅方向の角度、Ｇ…凸エンボスロールの基準面、２０Ｈ…単位凸エンボスの高さ、２０Ａ…第１傾斜面、２０Ｂ…第２傾斜面、２０Ｃ…裾野部分、Ｌ２…トイレットロールの幅、Ｌ３…トイレットロールの直径、Ｌ４…紙管内径、２５…単位凹エンボス、２５Ｌ…凹エンボス列、２…エッジエンボス（型押し）、９１…ログカッター。
【図１】
2015165832.tif 000004
【図２】
2015165832.tif 000005
【図３】
2015165832.tif 000006
【図４】
2015165832.tif 000007
【図５】
2015165832.tif 000008
【図６】
2015165832.tif 000009
【図７】
2015165832.tif 000010
【図８】
2015165832.tif 000011
【図９】
2015165832.tif 000012
【図１０】
2015165832.tif 000013
【図１１】
2015165832.tif 000014
【図１２】
2015165832.tif 000015
【図１３】
2015165832.tif 000016